(57)【要約】【課題】  熱による反りの発生を効果的に防止し、製造の際の作業性にすぐれ、製造コストの低減が可能な床暖房パネルを提供する。【解決手段】  本願発明の床暖房パネルは、下側合板２と、下側合板上面の周縁部分の少なくとも一部に設けられたスペーサー材３と、下側合板２と同じ材料からなりスペーサー材３の上面に積層された上側合板４を有し、下側合板２と上側合板３の間に形成された中空層部分６に面状ヒーター５が装着されていることを特徴とする。【選択図】図１
2006125681.tif 000002
【特許請求の範囲】
【請求項１】
下側合板と、下側合板上面の周縁部分の少なくとも一部に設けられたスペーサー材と、下側合板と同じ材料からなりスペーサー材の上面に積層された上側合板を有し、下側合板と上側合板の間に形成された中空層部分に面状ヒーターが装着されていることを特徴とする床暖房パネル。
【請求項２】
中空層部分の少なくとも一側端面に開口を有し、この開口から面状ヒーターが着脱自在に装着されるようになっていることを特徴とする請求項１記載の床暖房パネル。
【請求項３】
下側合板の長手方向の一端部側に中空層部分まで達する配線接続具用切欠部が形成されていることを特徴とする請求項１又は２に記載の床暖房パネル。
【発明の詳細な説明】
【技術分野】
【０００１】
本発明は、面状ヒーターを内蔵する床暖房パネルに関するものである。
【背景技術】
【０００２】
従来より、室内暖房システムの一つとして、ヒーターを内蔵した床暖房パネルが知られている。この床暖房パネルは、たとえばその平面サイズが１尺×６尺であり、多数の床暖房パネルを縦横に並べて敷設し、任意の広さの床暖房面を容易に施工できるようになっている。
【０００３】
このような床暖房パネルとして、たとえば特許文献１には、一般の床パネルと同じ構造のものの下面側を削って凹溝部を形成し、その凹溝部に面状ヒーターを収容する床暖房パネルが記載されている。面状ヒーターは裏面板の上面に固定配置され、凹溝部を覆うように取り付けられる。
【０００４】
以上のように、面状ヒーターを内蔵した床暖房パネルとすることにより、施工が容易で快適な床暖房が行えるようになる。
【特許文献１】特開平１１−３０３２９０号公報
【発明の開示】
【発明が解決しようとする課題】
【０００５】
しかしながら、特許文献１の床暖房パネルは、下面側が削られており、断面構造が上下に非対称な構造となっているため、熱収縮により反りが発生するおそれがある。また、床暖房パネルの製造の際、通常の床暖房パネルの下面側を削って凹溝部を形成し、面状ヒーターを上面に固定配置した裏面板を、その凹溝部に取り付けるため、手間がかかり製造の作業性の点からも改善の余地があった。
【０００６】
そこで本願発明は、このような従来技術の実情に鑑みてなされたもので、熱による反りの発生を効果的に防止し、製造の際の作業性にすぐれ、製造コストの低減が可能な床暖房パネルを提供することを課題とする。
【課題を解決するための手段】
【０００７】
本願発明の床暖房パネルは、上記課題を解決するため、第１には、下側合板と、下側合板上面の周縁部分の少なくとも一部に設けられたスペーサー材と、下側合板と同じ材料からなりスペーサー材の上面に積層された上側合板を有し、下側合板と上側合板の間に形成された中空層部分に面状ヒーターが装着されていることを特徴とする。
【０００８】
また、第２には、上記第１の発明において、中空層部分の少なくとも一側端面に開口を有し、この開口から面状ヒーターが着脱自在に装着されるようになっていることを特徴とする。
【０００９】
さらに、第３には、上記第１又は第２の発明において、下側合板の長手方向の一端部側に中空層部分まで達する配線接続具用切欠部が形成されていることを特徴とする。
【発明の効果】
【００１０】
本願請求項１の発明によれば、床暖房パネルの断面構造が実質的に上下対称となっているので、熱による反りの発生を効果的に防止することができる。また、下側合板、スペーサー材、上側合板の単純な積層工程により、面状ヒーターを収容する中空層部分が形成できるので、床暖房パネルの製造の際の作業性がよい。
【００１１】
本願請求項２の発明によれば、面状ヒーターを開口から着脱自在に装着することができるので、面状ヒーターの装着が容易に行えるのみならず、万一、出荷検査で面状ヒーターに異常が認められたときには、面状ヒーターを交換すればよく、製品全体を不良品として無駄にすることがなく、製造コストの低下が図れる。
【００１２】
本願請求項３の発明によれば、配線接続具用切欠部の空間を利用して、面状ヒーターや隣接パネル間の配線接続作業を容易に行うことができ、施工の作業性が向上する。
【発明を実施するための最良の形態】
【００１３】
本願発明は上記のとおりの特徴をもつものであるが、以下にその実施の形態について説明する。
【００１４】
図１は、本願発明の一実施形態における大判床暖房パネル（面状ヒーター装着前）の構造を模式的に示す図で、（ａ）は平面図、（ｂ）は（ａ）のＡ−Ａ線断面斜視図、（ｃ）は（ｂ）の丸で囲った部分の拡大断面図である。この大判床暖房パネルは１ユニットの床暖房パネルを３ユニット分（１Ａ、１Ｂ、１Ｃ）備えたものである。図２は、説明の便宜上、同上一実施形態における１ユニット分の床暖房パネル（面状ヒーター装着前）に着目した場合の構造を模式的に示す図で、（ａ）は平面図、（ｂ）は側面図、（ｃ）は底面図である。図３は、図２の１ユニット分の床暖房パネルにおける面状ヒーターの装着の様子を示す図で、（ａ）は装着前の状態、（ｂ）は装着後の状態を示す。
【００１５】
本実施形態の大判床暖房パネル１において、下側合板２は、３プライ構成（３層構成）の合板であり、表板２ａ、裏板２ｂ、芯板２ｃからなり、その厚みは５．５ｍｍ、その平面サイズは床材３枚分である。
【００１６】
下側合板２の上面には、図１（ａ）に示すように、長手方向及び幅方向にスペーサー材３が配設されている。図示の例では、スペーサー材３が連続して設けられているように示されているが、実際には、たとえば幅、長さの異なる必要本数の厚み１ｍｍの細長い四角形状の薄板を組み合わせて配設したものとすることができる。図１（ｂ）において、内側に配置される２つのスペーサー材３の幅は、その左右に配置される２つのスペーサー材の幅の２倍となっている。スペーサー材３の材料としては適宜のものが使用可能であるが、たとえば下側合板２の芯板２ｃと同じ材質のものとすることができる。
【００１７】
スペーサー材３の上には、下側合板２と同じ材料からなり同じ平面サイズの上側合板４が積層されている。上側合板４は、３プライ構成（３層構成）の合板であり、表板４ａ、裏板４ｂ、芯板４ｃからなり、その厚みは５．５ｍｍである。
【００１８】
下側合板２、スペーサー材３、上側合板４により囲まれた部分は、面状ヒーター５を収容するための中空層部分６となっている。中空層部分６の一側端面（図１（ａ）の左側端面）には開口７がそれぞれ形成され、面状ヒーター５を挿入するための入口となっている。また、下側合板２の長手方向の一端部側（開口７のある側）には、図２（ｂ）、（ｃ）に示すように、長手方向と直角な方向に沿って配線接続具用切欠部８が、中空層部分６に達するところまで形成されている。なお、図中９は目地（図１では図示を省略してある）である。
【００１９】
面状ヒーター５としては、各種の面状ヒーターを使用することができるが、たとえば絶縁フィルム上にＰＴＣ特性（正温度係数：Positive Temperature Coefficient）を持つ発熱体を印刷した自己温度制御機能を有する、いわゆるＰＴＣヒーターを好ましく用いることができる。
【００２０】
また、本実施形態の大判床暖房パネル１は、上側合板４の表面が化粧面に形成される。上側合板４の表面を化粧面とするためには、上側合板４の表面を塗装してもよいし、仕上げ面処理を行ってもよいし、その他従来から使用されている各種の手法を用いることができる。
【００２１】
本実施形態の大判床暖房パネル１は、その断面構造において上下均等な積層構成となっているため、熱が加わったとしても反りが発生しにくい床材となっている。また、本実施形態の大判床暖房パネル１は、万一、出荷検査で面状ヒーター５に異常が認められた場合には、その面状ヒーター５を取り外して、別の面状ヒーター５を取り付ければよく、面状ヒーター５以外のものはそのまま使用することができる。したがって、製造コストの低減が可能となる。
【００２２】
本実施形態の大判床暖房パネル１における面状ヒーター５に対する配線接続具の取り付け等は、配線接続具用切欠部８を利用して通常行われている方法で行うことができる。
【００２３】
次に、本実施形態の大型床暖房パネル１の製造方法の例を述べるが、もちろんこれに限定されるものではない。
【００２４】
先ず、図１（ｃ）に示すような断面構造の下側合板２と上側合板４を所定の大きさに加工したものを一対と、適切な寸法に加工したスペーサー材３を所要数用意する。そして、常用されている接着剤を用いてそれぞれの部材（下側合板２、スペーサー材３、上側合板４）の接着を行う。上側合板４の接着を行う際に、中空層部分６となるところに、後で抜き取れるような材料を挟み込ませておくことが好ましい。そして合板プレス成形時にはその材料を挟み込んだ状態でプレスを行う。次に、図２（ｃ）に示すように、下側合板２の長手方向の一端部側を切欠いて、コネクタや配線等の配線接続具を収容できるように配線接続具用切欠部８を中空層部分６に達するところまで形成する。この場合、予め配線接続具用切欠部８を形成した下側合板２を用いるようにしてもよい。その後、中空層部分６に挟み込んだ材料を取出し、塗装等の仕上げ処理を上側合板４上に施すことにより、床材に仕上げる。最後に、図３に示すように、面状ヒーター５を開口７よりそれぞれ挿入して、中空層部分６に着脱自在に装着する。以上のようにして、３ユニット分の床暖房パネル（１Ａ〜１Ｃ）を備えた大判床暖房パネル１が得られる。
【００２５】
以上、本願発明を一実施形態に基づいて詳細に説明してきたが、本願発明は上記実施形態に限定されるものではなく、種々の変形、変更が可能である。
【００２６】
たとえば、上記実施形態では、３ユニット分の床暖房パネルを備えた大判床暖房パネル１としたが、本願発明では、図２、図３に示すような１ユニットのみの床暖房パネルとしてもよい。また、２ユニット分あるいは４ユニット分以上を備えた大判床暖房パネルとしてもよい。
【００２７】
また、上記実施形態では、下側合板２及び上側合板４として３プライ構成の合板を用いたが、本願発明では、５プライ構成の合板等、それ以外の積層タイプの合板の使用も可能である。
【００２８】
また、上記実施形態では、各ユニットの床暖房パネルにおいて開口７を１つ設けたが、本願発明では、その反対側にも同様な開口を設けてもよい。
【００２９】
さらに、上記実施形態では、１ユニットのみの床暖房パネルに着目した場合、下側合板２の周縁部において２つの側方部と一方の端部の全体にわたってスペーサー材４を配設されるようにしたが、所要の強度が得られるのであれば、スペーサー材４の配設は少なくとも周縁部において部分的に行ってもよい。
【図面の簡単な説明】
【００３０】
【図１】本願発明の一実施形態における床暖房パネルを３ユニット分備えた大判パネル（面状ヒーター装着前）の構造を模式的に示す図で、（ａ）は平面図、（ｂ）は（ａ）のＡ−Ａ線断面斜視図、（ｃ）は（ｂ）の丸で囲った部分の拡大断面図である。
【図２】同上一実施形態における１ユニット分の床暖房パネル（面状ヒーター装着前）に着目した場合の構造を模式的に示す図で、（ａ）は平面図、（ｂ）は側面図、（ｃ）は底面図である。
【図３】図２の１ユニット分の床暖房パネルにおける面状ヒーターの装着の様子を示す図で、（ａ）は装着前の状態、（ｂ）は装着後の状態を示す図である。
【符号の説明】
【００３１】
１    大判床暖房パネル
２    下側合板
３    スペーサー材
４    上側合板
５    面状ヒーター
６    中空層部分
７    開口
８    配線接続具用切欠部
９    目地
【図１】
2006125681.tif 000003
【図２】
2006125681.tif 000004
【図３】
2006125681.tif 000005